(57)【要約】【課題】対象物に対してラベルの本体部をなす葉書シートの一方の面の全面を貼着することができ、対象物から不用意に脱落することを防止するとともに、葉書シートに表示されたキャンペーン内容を確認しやすいように表示する葉書付きラベルを提供する。【解決手段】本発明の葉書付きラベル１０は、剥離紙１１、保持シート２１および葉書シート３１を順に重ねてなり、保持シート２１は一方の面２１ａに設けられた粘着剤層２２を介して剥離紙１１に粘着され、第二紙片３３の一方の面３３ａは第一の疑似接着層２３を介して保持シート２１の他方の面２１ｂに剥離可能に接着され、葉書シート３１は保持シート２１上にて２つ折りにされて第一紙片３２と第二紙片３３が第二の疑似接着層３５を介して剥離可能に接着されたことを特徴とする。【選択図】図１
2010032637.tif 000002
【特許請求の範囲】
【請求項１】
剥離紙、保持シート、および、長辺方向に２つに区分された第一紙片と第二紙片からなる葉書シートを順に重ねてなる葉書付きラベルであって、
前記保持シートは、その一方の面に設けられた粘着剤層を介して、前記剥離紙の剥離面に粘着され、
前記第二紙片の一方の面は、第一の疑似接着層を介して、前記保持シートの他方の面に剥離可能に接着され、
前記葉書シートは、前記保持シート上にて長手方向に２つ折りにされて、前記第一紙片と前記第二紙片が第二の疑似接着層を介して剥離可能に接着されてなり、
前記保持シートの一方の面には、その一端を基端とし、前記２つ折りにされた葉書シートの一端に対向する位置よりも前記保持シートの他端側に渡る領域で、かつ、前記葉書シートの短辺方向に延在する領域に、前記粘着剤層が存在しない非粘着部が設けられたことを特徴とする葉書付きラベル。
【請求項２】
前記保持シートの他方の面には、前記他端側の角の少なくとも一方に印刷層からなる第一の非接着部が設けられ、前記第一紙片の他方の面には、前記２つ折りにされた葉書シートの他端側の角の少なくとも一方に印刷層からなる第二の非接着部が設けられたことを特徴とする請求項１に記載の葉書付きラベル。
【発明の詳細な説明】
【技術分野】
【０００１】
本発明は、葉書付きラベルに関し、さらに詳しくは、アルコール飲料や清涼飲料水などの飲料を充填した缶や瓶を複数本まとめて包装したマルチパックなどの商品に取り付けられ、一定期間にキャンペーン内容を表示するとともに、そのキャンペーンへの応募に使用される葉書を備えた葉書付きラベルに関するものである。
【背景技術】
【０００２】
従来、ビールを始めとするアルコール飲料や、ジュースなどの清涼飲料水などの飲料を充填した缶や瓶は、消費者がまとめ買いしやすいように、２〜６本程度をまとめて厚紙などで包装したマルチパックとして販売されているものがある。
このようなマルチパックの宣伝効果を高め、販売を促進するために、その場で当落が分かる「スピードくじ」や、キャンペーンへの応募葉書などを備えたキャンペーンラベルをマルチパックに貼付して、消費者に購買を喚起させる手法が採用されている。
【０００３】
このようなキャンペーンラベルとしては、ラベル本体と、くじ情報を覆っている重合シートと、粘着剤層上に剥離紙を積層した状態でラベル本体と連結している接着シート部とを備え、剥離紙を取り除き、粘着剤層を介して接着シート部をマルチパックの特定位置に接着することにより、キャンペーン内容を表示した告知面を表面に配して、ラベル本体をマルチパックに一体化することができるものが開示されている（例えば、特許文献１参照）。
【特許文献１】特開２００４−２８７０３７号公報
【発明の開示】
【発明が解決しようとする課題】
【０００４】
しかしながら、特許文献１に開示されているキャンペーンラベルは、接着シート部のみがマルチパックに接着され、ラベル本体はマルチパックに接着、固定されないため、常にラベル本体がマルチパックに対して密着した状態を保つことができなかった。そのため、マルチパックを運搬するなどの取扱い中に、キャンペーンラベルが引っ掛かって脱落し易いばかりでなく、キャンペーンラベルの告知面に表示されているキャンペーン内容を一目で確認できないことがあり、広告効果が薄れるおそれがあるという問題があった。
【０００５】
本発明は、上記事情に鑑みてなされたものであって、対象物に対してラベルの本体部をなす葉書シートの一方の面の全面を貼着することができ、対象物から不用意に脱落することを防止するとともに、葉書シートに表示されたキャンペーン内容を確認しやすいように表示する葉書付きラベルを提供することを目的とする。
【課題を解決するための手段】
【０００６】
本発明の葉書付きラベルは、剥離紙、保持シート、および、長辺方向に２つに区分された第一紙片と第二紙片からなる葉書シートを順に重ねてなる葉書付きラベルであって、前記保持シートは、その一方の面に設けられた粘着剤層を介して、前記剥離紙の剥離面に粘着され、前記第二紙片の一方の面は、第一の疑似接着層を介して、前記保持シートの他方の面に剥離可能に接着され、前記葉書シートは、前記保持シート上にて長手方向に２つ折りにされて、前記第一紙片と前記第二紙片が第二の疑似接着層を介して剥離可能に接着されてなり、前記保持シートの一方の面には、その一端を基端とし、前記２つ折りにされた葉書シートの一端に対向する位置よりも前記保持シートの他端側に渡る領域で、かつ、前記葉書シートの短辺方向に延在する領域に、前記粘着剤層が存在しない非粘着部が設けられたことを特徴とする。
【０００７】
前記保持シートの他方の面には、前記他端側の角の少なくとも一方に印刷層からなる第一の非接着部が設けられ、前記第一紙片の他方の面には、前記２つ折りにされた葉書シートの他端側の角の少なくとも一方に印刷層からなる第二の非接着部が設けられたことが好ましい。
【発明の効果】
【０００８】
本発明の葉書付きラベルによれば、剥離紙、保持シート、および、長辺方向に２つに区分された第一紙片と第二紙片からなる葉書シートを順に重ねてなる葉書付きラベルであって、前記保持シートは、その一方の面に設けられた粘着剤層を介して、前記剥離紙の剥離面に粘着され、前記第二紙片の一方の面は、第一の疑似接着層を介して、前記保持シートの他方の面に剥離可能に接着され、前記葉書シートは、前記保持シート上にて長手方向に２つ折りにされて、前記第一紙片と前記第二紙片が第二の疑似接着層を介して剥離可能に接着されてなり、前記保持シートの一方の面には、その一端を基端とし、前記２つ折りにされた葉書シートの一端に対向する位置よりも前記保持シートの他端側に渡る領域で、かつ、前記葉書シートの短辺方向に延在する領域に、前記粘着剤層が存在しない非粘着部が設けられたので、飲料のマルチパックなどの対象商品に対して、ラベルの本体部をなす葉書シートが粘着された保持シートの一方の面の全面を貼着することができ、対象商品から不用意に葉書シートが脱落することを防止することができるとともに、葉書シートを構成する第一紙片の一方の面に表示されたキャンペーン内容を、対象商品の外観を損なうことなく、外部から確認しやすいように表示することができる。また、不用意に葉書付きラベルから剥離紙が剥離するのを防止するとともに、非粘着部を剥離開始端として、葉書付きラベルから剥離紙を容易に剥離することができる。
【発明を実施するための最良の形態】
【０００９】
本発明の葉書付きラベルの最良の形態について説明する。
なお、この形態は、発明の趣旨をより良く理解させるために具体的に説明するものであり、特に指定のない限り、本発明を限定するものではない。
【００１０】
図１は、本発明の葉書付きラベルの一実施形態を示す概略構成図であり、（ａ）は平面図、（ｂ）は（ａ）のＡ−Ａ線に沿う断面図である。図２は、本発明の葉書付きラベルを構成する葉書シートを示す平面図である。図３は、本発明の葉書付きラベルを構成する保持シートを示す平面図である。
この実施形態の葉書付きラベル１０は、剥離紙１１と、保持シート２１と、葉書シート３１とから概略構成され、これらを順に重ねてなるものである。
葉書シート３１は、その長辺方向に、折り線３４を境にして２つに区分された第一紙片３２と第二紙片３３から構成されている。この第一紙片３２と第二紙片３３は、大きさがほぼ等しくなっている。
【００１１】
剥離紙１１は、基材１２と、その一方の面１２ａに設けられ、シリコーン樹脂からなる剥離層１３とから構成されている。そして、剥離紙１１の剥離層１３の一方の面１３ａが、剥離面をなしている。
【００１２】
保持シート２１は、その一方の面２１ａに設けられた粘着剤層２２を介して、剥離紙１１の剥離層１３の一方の面（剥離面）１３ａに粘着されている。
また、葉書シート３１の第二紙片３３の一方の面３３ａは、保持シート２１の他方の面２１ｂに設けられ、所定圧で圧着し、かつ剥離可能な感圧接着剤からなる第一の疑似接着層２３を介して、保持シート２１の他方の面２１ｂに剥離可能に接着されている。
【００１３】
葉書シート３１は、保持シート２１上にて、その長辺方向に折り線３４を境にして２つ折りにされて、第一紙片３２と第二紙片３３が、所定圧で圧着し、かつ剥離可能な感圧接着剤からなる第二の疑似接着層３５を介して剥離可能に接着されている。
これにより、第一紙片３２の他方の面３２ｂと第二紙片３３の他方の面３３ｂとが対向し、２つ折りにした葉書シート３１の内側に配される。さらに、葉書シート３１の第一紙片３２の一方の面３２ａが、葉書付きラベル１０の最表面をなしている。
【００１４】
また、第二の疑似接着層３５は、葉書シート３１の他方の面３１ａの全面、すなわち、第一紙片３２の他方の面３２ｂの全面および第二紙片３３の他方の面３３ｂの全面、あるいは、第一紙片３２の他方の面３２ｂの全面または第二紙片３３の他方の面３３ｂの全面に、設けられている。
【００１５】
保持シート２１の一方の面２１ａには、保持シート２１の一端２１ｃを基端とし、２つ折りにされた葉書シート３１の一端３１ｂに対向する位置よりも保持シート２１の他端２１ｄ側に渡る領域で、かつ、葉書シート３１の短辺方向に延在する領域に、粘着剤層２２が存在しない非粘着部２４が設けられている。
この非粘着部２４の幅βは、３ｍｍ〜１５ｍｍであることが好ましく、より好ましくは５ｍｍ〜１０ｍｍである。
特に、非粘着部２４において、２つ折りにされた葉書シート３１の一端３１ｂに対向する位置を基端とし、保持シート２１の他端２１ｄ側に渡る領域で、かつ、葉書シート３１の短辺方向に延在する領域の幅αは、１ｍｍ〜１０ｍｍであることが好ましく、より好ましくは２ｍｍ〜３ｍｍである。この幅αが１ｍｍ未満では、葉書付きラベル１０から剥離紙１１を剥離する際、この非粘着部２４を剥離開始端として、容易に剥離紙１１を剥離することができない。一方、幅αが１０ｍｍを超えると、不用意に葉書付きラベル１０から剥離紙１１が剥離するおそれがある。
【００１６】
また、保持シート２１の他方の面２１ｂには、保持シート２１の他端２１ｄ側の角の一方に、印刷層からなる三角形状の第一の非接着部２６が設けられている。この第一の非接着部２６は、保持シート２１の他方の面２１ｂに設けられた第一の疑似接着層２３上に設けられた印刷層からなり、この印刷層によって第一の疑似接着層２３を覆うことにより、その接着性を損なわせている部分である。
そして、この第一の非接着部２６は、保持シート２１から葉書シート３１を剥離する際の剥離開始端となる。
【００１７】
この第一の非接着部２６の大きさ（面積）や形状は特に限定されるものではないが、第一の疑似接着層２３を介した保持シート２１の他方の面２１ｂに対する葉書シート３１の接着力を損なわないように調整することが好ましい。
【００１８】
また、第一の接着部２６は、保持シート２１の他方の面２１ｂ（詳細には、第一の疑似接着層２３上）に、各種印刷法により印刷情報２５を設けると同時に、設けることができる。
【００１９】
なお、この実施形態では、保持シート２１の他端２１ｄ側の角の一方に第一の非接着部２６が設けられた場合を例示したが、本発明の葉書付きラベルはこれに限定されない。本発明の葉書付きラベルにあっては、保持シートの他端側の角の両方に第一の非接着部が設けられていてもよい。
【００２０】
葉書シート３１の第一紙片３２の他方の面３２ｂには、２つ折りにされた葉書シート３１の他端３１ｃ側の角の一方に、印刷層からなる三角形状の第二の非接着部４０が設けられている。この第二の非接着部４０は、第一紙片３２の他方の面３２ｂに設けられた印刷層からなり、第一紙片３２の他方の面３２ｂが第二の疑似接着層３５と接着することを抑制している部分である。あるいは、第二の非接着部４０は、第一紙片３２の他方の面３２ｂに設けられた第二の疑似接着層３５上に設けられた印刷層からなり、この印刷層によって第二の疑似接着層３５を覆うことにより、その接着性を損なわせている部分である。
そして、この第二の非接着部４０は、第二紙片３３から第一紙片３２を剥離する際の剥離開始端となる。
【００２１】
この第二の非接着部４０の大きさ（面積）や形状は特に限定されるものではないが、第二の疑似接着層３５を介した第一紙片３２の他方の面３２ｂに対する第二紙片３３の接着力を損なわないように調整することが好ましい。
【００２２】
この第二の非接着部４０は、葉書シート３１の他方の面３１ａ（詳細には、第一紙片３２の他方の面３２ｂおよび第二紙片３３の他方の面３３ｂ）に、各種印刷法により印刷情報３８、３９を設けると同時に、設けることができる。
【００２３】
なお、この実施形態では、第一紙片３２の他方の面３２ｂにおいて、２つ折りにされた葉書シート３１の他端３１ｃ側の角の一方に第二の非接着部４０が設けられた場合を例示したが、本発明の葉書付きラベルはこれに限定されない。本発明の葉書付きラベルにあっては、第一紙片の他方の面において、２つ折りにされた葉書シートの他端側の角の両方に第二の非接着部が設けられていてもよい。
【００２４】
保持シート２１の他方の面２１ｂには、所定の印刷情報２５が設けられている。この印刷情報２５としては、例えば、葉書付きラベル１０によって表示されるキャンペーン内容に関連する事項や、キャンペーンの応募に使用される葉書シート３１の真贋を証明する控えとなる情報（通し番号）などが挙げられる。
【００２５】
葉書シート３１は、２つ折りにされ、保持シート２１に接着された状態では、第一紙片３２の一方の面３２ａが最表面をなし、その一方の面３２ａには、所定の印刷情報３６が設けられている。この印刷情報３６としては、例えば、キャンペーン内容などが挙げられる。
また、第一紙片３２の一方の面３２ａにおいて、葉書シート３１の他端３１ｃ側の角の一方には、上記の第二の非接着部４０に対応する部分に、第二紙片３３から第一紙片３２を剥離する際の剥離開始端を示す印刷情報３７が設けられている。
【００２６】
葉書シート３１を構成する第一紙片３２の他方の面３２ｂには、所定の印刷情報３８が設けられている。この印刷情報３８としては、例えば、キャンペーンへの応募に必要な事項（クイズの答え、応募者の氏名、年齢、性別、住所など）を記入するための記入欄が挙げられる。
また、葉書シート３１を構成する第二紙片３３の他方の面３３ｂには、所定の印刷情報３９が設けられている。この印刷情報３９としては、例えば、キャンペーンの応募先（企業の担当部署の住所など）などが挙げられる。
また、葉書シート３１のいずれかの面（第一紙片３２の一方の面３２ａまたは他方の面３２ｂ、第二紙片３３の一方の面３３ａまたは他方の面３３ｂ）に、葉書シート３１の真贋を判定するために、保持シート２１に設けられた真贋を証明する印刷情報に整合する印刷情報を設けることもできる。
【００２７】
次に、この葉書付きラベル１０の使用方法を説明する。
販売者が、葉書付きラベル１０から、剥離紙１１を剥離して、飲料のマルチパックなどの対象商品の表面における所定位置（側面など）に、保持シート２１と葉書シート３１の積層体を貼着する。
この状態では、非粘着部２４を除く、保持シート２１の一方の面２１ａの全面が、対象商品の表面に貼着され、上記の積層体が対象商品の表面に密着する。そして、第一紙片３２の一方の面３２ａに設けられた印刷情報３６（キャンペーン内容）が一目で確認できるようになっている。その一方で、葉書シート３１を構成する第一紙片３２の他方の面３２ｂと第二紙片３３の他方の面３３ｂに設けられた印刷情報３８，３９は確認できないようになっている。
【００２８】
一方、この葉書付きラベルが貼着された対象商品を購入した消費者が、ラベルに表示されているキャンペーンに応募するには、まず、葉書シート３１の第一紙片３２に設けられた第二の非接着部４０を剥離開始端として、第二紙片３３から第一紙片３２を剥離して、２つ折りにした葉書シート３１を展開する。次いで、保持シート２１に設けられた第一の非接着部２６を剥離開始端として、保持シート２１から葉書シート３１を剥離する。
これにより、上記の消費者は、葉書シート３１にキャンペーンへの応募に必要な事項を記入した後、キャンペーンに応募することができる。
【００２９】
この葉書付きラベル１０によれば、保持シート２１は一方の面２１ａに設けられた粘着剤層２２を介して剥離紙１１に粘着され、第二紙片３３の一方の面３３ａは第一の疑似接着層２３を介して保持シート２１の他方の面２１ｂに剥離可能に接着され、葉書シート３１は保持シート２１上にて２つ折りにされて第一紙片３２と第二紙片３３が第二の疑似接着層３５を介して剥離可能に接着されているので、飲料のマルチパックなどの対象商品に対して、ラベルの本体部をなす葉書シート３１が粘着された保持シート２１の一方の面２１ａの全面を貼着することができ、対象商品から不用意に葉書シート３１が脱落するのを防止することができるとともに、葉書シート３１を構成する第一紙片３２の一方の面３２ａに表示されたキャンペーン内容を、対象商品の外観を損なうことなく、外部から確認しやすいように表示することができる。
【００３０】
また、保持シート２１の一方の面２１ａには、保持シート２１の一端２１ｃを基端とし、２つ折りにされた葉書シート３１の一端３１ｂに対向する位置よりも保持シート２１の他端２１ｄ側に渡る領域で、かつ、葉書シート３１の短辺方向に延在する領域に、粘着剤層２２が存在しない非粘着部２４が設けられているので、不用意に葉書付きラベル１０から剥離紙１１が剥離するのを防止するとともに、この非粘着部２４を剥離開始端として、葉書付きラベル１０から剥離紙１１を容易に剥離することができる。
また、保持シート２１の他方の面２１ｂには、保持シート２１の他端２１ｄ側の角の一方に、印刷層からなる三角形状の第一の非接着部２６が設けられているので、この第一の非接着部２６を剥離開始端として、保持シート２１から葉書シート３１を容易に剥離することができる。
さらに、葉書シート３１の第一紙片３２の他方の面３２ｂには、２つ折りにされた葉書シート３１の他端３１ｃ側の角の一方に、印刷層からなる三角形状の第二の非接着部４０が設けられているので、この第二の非接着部４０を剥離開始端として、第二紙片３３から第一紙片３２を容易に剥離することができる。
【００３１】
なお、各シートを剥離可能に接着する疑似接着層としては、感圧接着剤の他、ニスによる接着や２層フィルムを利用するなど適宜既存の技術を利用することも考えられる。
【図面の簡単な説明】
【００３２】
【図１】本発明の葉書付きラベルの一実施形態を示す概略構成図であり、（ａ）は平面図、（ｂ）は（ａ）のＡ−Ａ線に沿う断面図である。
【図２】本発明の葉書付きラベルを構成する葉書シートを示す平面図である。
【図３】本発明の葉書付きラベルを構成する保持シートを示す平面図である。
【符号の説明】
【００３３】
１０・・・葉書付きラベル、１１・・・剥離紙、１２・・・基材、１３・・・剥離層、２１・・・保持シート、２２・・・粘着剤層、２３・・・第一の疑似接着層、２４・・・非粘着部、２５・・・印刷情報、２６・・・第一の非接着部、３１・・・葉書シート、３２・・・第一紙片、３３・・・第二紙片、３４・・・折り線、３５・・・第二の疑似接着層、３６，３７，３８，３９・・・印刷情報、４０・・・第二の非接着部。
【図１】
2010032637.tif 000003
【図２】
2010032637.tif 000004
【図３】
2010032637.tif 000005